(57)【特許請求の範囲】
【請求項１】
什器上方に延設されるとともに上下両面に照明器具を取付可能な主板部、および該主板部の両側縁からそれぞれ上下に突出する一対の側板部を有する照明取付部材と、
前記什器から上方に向けて延在し、上端面が前記主板部の下面に当接して固定されるとともに上端部が前記一対の側板部間に嵌合された支柱とを備え、
前記一対の側板部は、それぞれの下端が前記支柱の上端部の側面に当接することで前記支柱に外嵌するとともに、それぞれの下端から前記主板部との連結部分に向かうに従い互いに離間し、
前記側板部の下端には、前記支柱の上端部の側面に当接する下補助片が上方に向けて延設されていることを特徴とする照明装置。
【請求項２】
請求項１記載の照明装置において、
前記主板部の下面には、前記支柱の上端部の側面に当接する上補助片が下方に向けて延設されていることを特徴とする照明装置。
【請求項３】
請求項２記載の照明装置において、
前記上補助片は、前記支柱の上端部の側面に前記側板部側から当接していることを特徴とする照明装置。
【請求項４】
請求項１から３いずれか１項に記載の照明装置において、
前記一対の側板部は、それぞれの前記連結部分から上下両端に向かうに従い互いに近接するように湾曲形成されていることを特徴とする照明装置。
【請求項５】
請求項１から４いずれか１項に記載の照明装置において、
前記主板部には、上下に連通する連通路が形成されていることを特徴とする照明装置。
【請求項６】
請求項１から５いずれか１項に記載の照明装置において、
前記照明取付部材に着脱可能に装着され、前記一対の側板部間において前記主板部よりも下側に位置する空間を覆うカバー体を備えていることを特徴とする照明装置。
【発明の詳細な説明】
【技術分野】
【０００１】
本発明は、オフィス等の執務空間にて使用される什器用の照明装置に関する。
【背景技術】
【０００２】
オフィス等の執務空間にて使用される作業用天板を有する什器においては、天板上での作業性向上のため、天板上の照度が十分に確保されることが望ましい。一般的には、執務空間の天井に取り付けられた天井照明と、この天井照明での不足分を補う照明装置とによって照度が確保されている。
この種の照明装置として、例えば下記特許文献１に示すような、天板から起立させた一対の支柱と、これら支柱の上端部間に架け渡した照明取付部材（横架材）とを備え、この照明取付部材に照明器具を取付可能な構成が知られている。前記照明取付部材は、各支柱の上端部に相手側の支柱に向けて延びるように溶接したアームに締着されることで、支柱の上端部に結合されている。
またこの照明装置は、照明取付部材への照明器具の取付態様を、直接照明を行う取付態様および間接照明を行う取付態様のいずれかから選択できるように構成されている。
【先行技術文献】
【特許文献】
【０００３】
【特許文献１】特許第３５０６０６０号公報
【発明の概要】
【発明が解決しようとする課題】
【０００４】
しかしながら、前記従来の照明装置では、照明取付部材がアームを介して支柱の上端部に結合された片持ち構造であることから、照明取付部材に水平方向および鉛直方向のいずれの方向から力が加えられた場合であっても、支柱に大きな曲げモーメントが作用し、支柱による照明取付部材の支持が不安定になるという問題がある。
さらに、直接照明および間接照明のいずれかを選択できるものの、両方を同時に採用して天板上を照らすことができないという問題もある。
【０００５】
本発明は、前述した事情に鑑みてなされたものであって、その目的は、支柱による照明取付部材の支持を安定させ、かつ直接照明および間接照明で同時に什器上を照らすことができる照明装置を提供することである。
【課題を解決するための手段】
【０００６】
前記課題を解決するために、本発明は以下の手段を提案している。
本発明に係る照明装置は、什器上方に延設されるとともに上下両面に照明器具を取付可能な主板部、および該主板部の両側縁からそれぞれ上下に突出する一対の側板部を有する照明取付部材と、前記什器から上方に向けて延在し、上端面が前記主板部の下面に当接して固定されるとともに上端部が前記一対の側板部間に嵌合された支柱とを備え、前記一対の側板部は、それぞれの下端が前記支柱の上端部の側面に当接することで前記支柱に外嵌するとともに、それぞれの下端から前記主板部との連結部分に向かうに従い互いに離間し、前記側板部の下端には、前記支柱の上端部の側面に当接する下補助片が上方に向けて延設されていることを特徴とする。
【０００７】
この構成によれば、支柱の上端部が一対の側板部間に嵌合されているので、照明取付部材に水平方向に加えられた力を、側板部から支柱に直接伝えることができる。また、支柱の上端面が主板部の下面に当接しているので、照明取付部材に鉛直方向に加えられた力を、軸力として支柱に受け止めさせることができる。
以上より、照明取付部材に水平方向および鉛直方向のいずれの方向から力が加えられた場合であっても、前記従来技術のような片持ち構造に比べて、支柱に大きな曲げモーメントが作用するのを抑えることが可能になり、支柱による照明取付部材の支持を安定させることができる。
また、主板部の上下両面に照明器具が取付可能なので、上下両面に照明器具を取り付けることで、直接照明および間接照明で同時に什器上を照らすことができる。すなわち、上面に取り付けられた照明器具からの光が、例えば天井などに反射して間接照明として什器上を照らすとともに、下面に取り付けられた照明器具からの光が、直接照明として什器上を照らすこととなる。またこの際、主板部の両側縁からそれぞれ上下に突出する一対の側板部によって、照明器具からの光が側方に漏れるのが抑制される。
【０００９】
また、一対の側板部が、それぞれの下端から前記連結部分に向かうに従い互いに離間しているので、両側板部の下端間を狭め、主板部の下面に取り付けられる照明器具からの光が照明取付部材から側方に漏れるのを抑制しつつ、該照明器具の設置スペースを確保することができる。
【００１１】
また、側板部の下端に下補助片が延設されているので、照明取付部材に水平方向から加えられた力を、側板部の下端および下補助片の双方から上下方向に分散させて支柱に伝えることが可能になり、支柱による照明取付部材の支持をより安定させることができる。
また、下補助片が、側板部の下端に上方に向けて延設されていることから、この下補助片が、照明取付部材の外部に露出するのではなく一対の側板部間に収容されることとなり、照明装置の体裁を良好なものに維持することができる。また、このように下補助片が一対の側板部間に収容されることから、下補助片を、主板部の下面に取り付けられた照明器具のリフレクタとして機能させることもできる。
【００１２】
また、前記主板部の下面には、前記支柱の上端部の側面に当接する上補助片が下方に向けて延設されていても良い。
【００１３】
この構成によれば、主板部の下面に上補助片が延設されているので、照明取付部材に水平方向から加えられた力を、上補助片から支柱に伝えることが可能になり、支柱による照明取付部材の支持をより安定させることができる。
【００１４】
また、前記上補助片は、前記支柱の上端部の側面に前記側板部側から当接していても良い。
【００１５】
この構成によれば、上補助片が、支柱の上端部の側面に側板部側から当接しているので、水平方向のうち側板部側から照明取付部材に加えられた力を、側板部の下端および上補助片の双方から上下方向に分散させて支柱に伝えることが可能になり、支柱による照明取付部材の支持をより一層安定させることができる。
【００１６】
また、前記一対の側板部は、それぞれの前記連結部分から上下両端に向かうに従い互いに近接するように湾曲形成されていても良い。
【００１７】
この構成によれば、一対の側板部が、それぞれの前記連結部分から上下両端に向かうに従い互いに近接するように湾曲形成されているので、照明装置の体裁を良好に収めることができる。
【００１８】
また、前記主板部には、上下に連通する連通路が形成されていても良い。
【００１９】
この構成によれば、主板部に連通路が形成されているので、主板部の上下間で照明器具の配線を引き回すことができる。
【００２０】
また、前記照明取付部材に着脱可能に装着され、前記一対の側板部間において前記主板部よりも下側に位置する空間を覆うカバー体を備えていても良い。
【００２１】
この構成によれば、カバー体を備えているので、側板部の下面に照明器具を取り付けない状態で当該照明装置を使用する場合であっても、照明取付部材にカバー体を装着することで、一対の側板部間において主板部よりも下側に位置する空間がカバー体で覆われ外部に露出されることがなく、照明装置の体裁を良好に収めることができる。
【発明の効果】
【００２２】
本発明に係る照明装置によれば、支柱による照明取付部材の支持を安定させ、かつ直接照明および間接照明で同時に什器上を照らすことができる。
【図面の簡単な説明】
【００２３】
【図１】本発明の一実施形態に係る照明装置の斜視図である。
【図２】図１に示す照明装置の側面図であって、要部を破断した図である。
【図３】図１に示す照明装置の上面図である。
【図４】図２に示す断面矢視Ａ−Ａ図である。
【図５】図４に示す断面矢視Ｄ−Ｄ図である。
【図６】図１に示す照明装置に取り付けられた照明器具の斜視図である。
【図７】図２に示す断面矢視Ｂ−Ｂ図である。
【図８】図２に示す断面矢視Ｃ−Ｃ図である。
【図９】図１に示す照明装置にカバー体を取り付けた状態を示す断面図である。
【図１０】図１に示す照明装置に取り付け可能な照明器具の斜視図である。
【図１１】図１に示す照明装置に図１０に示す照明器具を取り付けた状態を示す断面図である。
【発明を実施するための形態】
【００２４】
以下、図面を参照し、本発明の一実施形態に係る照明装置を説明する。
図１から図４に示すように、照明装置１は、テーブル（什器）２上方に延設されるとともに上下両面に照明器具３を取付可能な主板部４、および該主板部４の両側縁からそれぞれ上下に突出する一対の側板部５を有する照明取付部材６と、テーブル２から上方に向けて延在し、上端面が主板部４の下面に当接して固定されるとともに上端部が一対の側板部５間に嵌合された支柱７とを備えている。
【００２５】
図１に示すように、テーブル２は、平面視矩形状の天板２ａを備えている。
図５に示すように、支柱７には、上下方向Ｚに延びる配線空間１１が形成されている。支柱７は、上下方向Ｚに延びるとともに配線空間１１となる配線溝１４が形成された支柱本体１２と、支柱本体１２の配線溝１４に着脱可能に装着され、配線空間１１を覆う配線カバー１３とを備えている。
支柱本体１２は、上下方向Ｚに断面視して天板２ａの幅方向Ｙに長い楕円形状をなしており、配線溝１４は、テーブル２の長手方向Ｘを向く側面に上下方向Ｚの全長にわたって形成されている。また配線カバー１３は、断面視コ字状に形成されて配線溝１４内に嵌合され、配線空間１１を覆っている。
【００２６】
図４に示すように、支柱本体１２の上端部には、上下方向Ｚに延びるねじ孔１６が形成されている。本実施形態では、ねじ孔１６は、楕円形状断面の長径方向の両側端側に対をなして設けられている。
また図２に示すように、一対の側板部５間において主板部４よりも下側に位置する下側空間１７内の配線カバー１３には、この下側空間１７と配線空間１１とを連通する配線窓１８が形成されている。
【００２７】
照明取付部材６の主板部４は、テーブル２上方に延設されるとともに上下両面に照明器具３を取付可能な板本体２０と、該板本体２０における支柱７との固定部分２０ａの上面に配設されて板本体２０および支柱７に固定された補強板２１とを備えている。
板本体２０は、長手方向Ｘに延在するとともに天板２ａと平行に配置されており、長手方向Ｘの中央部が支柱７に固定された前記固定部分２０ａとなっている。
【００２８】
図３に示すように、この板本体２０には、上下に連通する連通路２２が形成されている。連通路２２は、板本体２０において、長手方向Ｘの各端縁から前記固定部分２０ａに至るまで長手方向Ｘに沿って延ばされるとともに、板本体２０の幅方向Ｙの中央部に形成された切り欠きであり、これにより、板本体２０は平面視Ｈ字状となっている。なお本実施形態では、板本体２０の板幅は、支柱７の幅よりも大きく、連通路２２の幅は、支柱７の幅よりも小さくなっている。
【００２９】
図４に示すように、板本体２０の前記固定部分２０ａの下面には、下方に向けて突出するとともに下端面が支柱７の上端面に当接するリブ２０ｂが形成されている。本実施形態では、リブ２０ｂは、幅方向Ｙに間隔をあけて２つ形成されている。
さらに前記固定部分２０ａの下面には、支柱７の上端部の側面に当接する上補助片２３が下方に向けて延設されている。上補助片２３は、支柱７の上端部の側面に両側板部５側、つまり幅方向Ｙの外側から当接するように一対設けられている。
また、板本体２０の側端部２０ｃの上面には、後述する補強板２１の側片２６の外側縁に近接するガイド突条２４が突設されている。このガイド突条２４は、長手方向Ｘに沿って板本体２０の側端部２０ｃの全長にわたって延びている。
【００３０】
図３に示すように、補強板２１は、板本体２０の前記固定部分２０ａ上に配置された基片２５と、基片２５の両側部からそれぞれ長手方向Ｘの両側に延び、板本体２０の側端部２０ｃ上に配置された一対の側片２６と、一対の側片２６の外側縁に立設された起立片２７とを備えており、一枚の板部材で平面視Ｈ字状に一体形成されている。
側片２６には、図示しない第１貫通孔が長手方向Ｘに間隔をあけて形成され、板本体２０の側端部２０ｃには、上下両方向に開口する図示しない第１雌ねじが長手方向Ｘに間隔をあけて形成されている。そして、補強板２１は、前記第１貫通孔に上側から差し込まれるとともに前記第１雌ねじに螺着された第１ねじ２８によって、板本体２０の上面に固定されている。
【００３１】
さらに図４に示すように、板本体２０の前記固定部分２０ａおよび補強板２１の基片２５にはそれぞれ、幅方向Ｙに間隔をあけて２つの第２貫通孔３０、３１が形成されている。そして、これらの第２貫通孔３０、３１には、主板部４を支柱７の上端面に固定する第２ねじ２９が上側から差し込まれている。第２ねじ２９の軸部２９ｂは、支柱７のねじ孔１６に螺着され、これにより、主板部４は、第２ねじ２９の頭部２９ａと支柱７の上端面との間で挟持され、支柱７の上端面に固定されている。
なお本実施形態では、板本体２０の前記固定部分２０ａに形成された第２貫通孔３１は、各リブ２０ｂを貫通するように配設されている。
【００３２】
一対の側板部５は、それぞれの下端が支柱７の上端部の側面に当接することで支柱７に外嵌するとともに、それぞれの下端から主板部４との連結部分５ａに向かうに従い互いに離間している。本実施形態では、一対の側板部５は、前記連結部分５ａから上下両端に向かうに従い互いに近接するように湾曲形成されており、それぞれの曲率中心が共通とされた円弧形状をなしている。また側板部５の上端間の距離は、側板部５の下端間の距離よりも大きくなっている。
【００３３】
側板部５の下端には、支柱７の上端部の側面に当接する下補助片３２が上方に向けて延設されている。下補助片３２は、各側板部５にそれぞれの全長にわたって設けられている。
側板部５において前記連結部分５ａよりも上側に位置する部分の内面には、先端部が補強板２１の起立片２７の上端に近接するガイド片３３が突設されている。ガイド片３３は、側板部５の長手方向Ｘの全長にわたって設けられ、板本体２０と平行に延びるとともに先端部が下方に向かうように屈曲されている。
【００３４】
図６に示すように、照明器具３は、長手方向Ｘに延在する棒状とされており、その側面にはＬ字ブラケット３４の一面部３４ａが取り付けられている。Ｌ字ブラケット３４は、長手方向Ｘに沿って間隔をあけて複数（図示の例では２つ）、照明器具３の両側面に対になるように取り付けられており、このＬ字ブラケット３４において照明器具３から外側に延びる他面部３４ｂには、上下双方向に開口する挿通孔３４ｃが形成されている。
【００３５】
図７に示すように、この照明器具３は、主板部４の板本体２０の上下両面にそれぞれ取り付けられている。上下２つの照明器具３は、光を照射する方向がそれぞれ上側および下側となるように互いの上下が反転しているとともに、互いの長手方向Ｘおよび幅方向Ｙそれぞれの位置が一致している。照明器具３は、板本体２０に形成された前記連通路２２を幅方向Ｙの全長にわたって覆い、Ｌ字ブラケット３４の他面部３４ｂは、板本体２０の側端部２０ｃ上に当接し、前記ガイド突条２４に内側から近接している。
【００３６】
ここで、板本体２０の側端部２０ｃには、長手方向Ｘに間隔をあけて複数の第３貫通孔４６が形成されている。この第３貫通孔４６には、Ｌ字ブラケット３４の前記挿通孔３４ｃが位置合わせされるとともに、両挿通孔３４ｃおよび第３貫通孔４６には、照明器具３を板本体２０に取り付ける第３ねじ３５が上側から挿通されている。そして、板本体２０の下面側に配設されたナット５０に、第３ねじ３５の軸部が螺着されている。これにより、第３ねじ３５の頭部およびナット５０との間に、Ｌ字ブラケット３４の両他面部３４ｂおよび板本体２０の側端部２０ｃが上下方向Ｚに挟持され、板本体２０の上下両面に照明器具３が取り付けられている。
【００３７】
また図３に示すように、照明器具３は、板本体２０の上下各面に、長手方向Ｘで前記固定部分２０ａを挟んだ両側に１つずつ配設されている。照明器具３の長手方向Ｘの大きさは、連通路２２の長手方向Ｘの大きさよりも小さくなっており、連通路２２における長手方向Ｘでの支柱７側の端部は、照明器具３に覆われず上下方向Ｚに露出している。
【００３８】
そして図１に示すように、以上のように構成された照明装置１は、照明取付部材６の長手方向Ｘの端部が互いに隣接するように、長手方向Ｘに沿ってテーブル２上に複数連設されている。照明取付部材６の長手方向Ｘの端部のうち、長手方向Ｘで互いに隣接する端部の間には、これらの端部間の隙間を埋めるとともに両端部を連結する平板状の連結キャップ４０が配設されている。また、長手方向Ｘの両端に位置する端部には、長手方向Ｘに向く開口を閉塞する平板状のエンドキャップ４１が取り付けられている。
【００３９】
ここで図２に示すように、照明取付部材６には、前記下側空間１７における支柱７と照明器具３との間に配置され、支柱７の配線窓１８を覆う窓カバー３６が着脱可能に装着されている。図２、図３および図８に示すように、窓カバー３６は、両下補助片３２間の開口を閉塞するとともに長手方向Ｘの一方の端縁が凹面状に形成されて支柱７の側面に全長にわたって当接する横カバー片３７と、横カバー片３７の両側端縁に立設されるとともに下補助片３２間に嵌合された一対の嵌合片３８と、横カバー片３７の長手方向Ｘの他方の端縁に立設されるとともに両側端縁が嵌合片３８と連結された縦カバー片３９とを備えている。図２に示すように、窓カバー３６は、横カバー片３７および縦カバー片３９が配線窓１８を覆うとともに、その内部が支柱７側および上側の双方に開口している。
【００４０】
また前記配線空間１１内には、支柱７の下方に設けられた図示しない給電装置から延びる給電用配線４２が収容されている。この給電用配線４２は、配線窓１８、窓カバー３６内、前記下側空間１７、および連通路２２を通って、一対の側板部５間において主板部４よりも上側に位置する上側空間４３まで引き回され、前記上側空間４３に収容された配線アダプタ４４に接続されている。この配線アダプタ４４には、照明器具３から延びる受電用配線４５が接続されている。なおこれらの受電用配線４５のうち、板本体２０の下面に取り付けられた照明器具３の受電用配線４５は、連通路２２を通った後に配線アダプタ４４に接続されている。
【００４１】
次に、以上のように構成された照明装置１の作用について説明する。
この照明装置１においては、支柱７の上端部が一対の側板部５間に嵌合されているので、照明取付部材６に水平方向に加えられた力を、側板部５から支柱７に直接伝えることができる。さらに、支柱７の上端面が主板部４の下面に当接しているので、照明取付部材６に鉛直方向に加えられた力を、軸力として支柱７に受け止めさせることができる。
【００４２】
また、この照明装置１でテーブル２の天板２ａ上を照らす際には、板本体２０の上下両面に取り付けられた両照明器具３に給電して光を照射させる。このとき、板本体２０の上面に取り付けられた照明器具３からの光は、例えば天井などに反射して間接照明として天板２ａ上を照らす。一方、板本体２０の下面に取り付けられた照明器具３からの光は、直接照明として天板２ａ上を照らす。またこの際、主板部４の両側縁からそれぞれ上下に突出する一対の側板部５によって、照明器具３からの光が側方に漏れるのが抑制される。
【００４３】
以上説明したように、本実施形態に係る照明装置１によれば、照明取付部材６に水平方向および鉛直方向のいずれの方向から力が加えられた場合であっても、前記従来技術のような片持ち構造に比べて、支柱７に大きな曲げモーメントが作用するのを抑えることが可能になり、支柱７による照明取付部材６の支持を安定させることができる。
また、主板部４の上下両面に照明器具３が取付可能なので、上下両面に照明器具３を取り付けることで、直接照明および間接照明で同時にテーブル２の天板２ａ上を照らすことができる。
【００４４】
また、側板部５の下端に下補助片３２が延設されているので、照明取付部材６に水平方向から加えられた力を、側板部５の下端および下補助片３２の双方から上下方向Ｚに分散させて支柱７に伝えることが可能になり、支柱７による照明取付部材６の支持をより安定させることができる。
また、下補助片３２が、側板部５の下端に上方に向けて延設されていることから、この下補助片３２が、照明取付部材６の外部に露出するのではなく前記下側空間１７に収容されることとなり、照明装置１の体裁を良好なものに維持することができる。また、このように下補助片３２が前記下側空間１７に収容されることから、下補助片３２を、主板部４の下面に取り付けられた照明器具３のリフレクタとして機能させることもできる。
【００４５】
また、主板部４の下面に上補助片２３が延設されているので、照明取付部材６に水平方向から加えられた力を、上補助片２３から支柱７に伝えることが可能になり、支柱７による照明取付部材６の支持をより一層安定させることができる。
さらに、上補助片２３が、支柱７の上端部の側面に側板部５側から当接しているので、水平方向のうち側板部５側、つまり幅方向Ｙ側から照明取付部材６に加えられた力を、側板部５の下端および上補助片２３の双方から上下方向Ｚに分散させて支柱７に伝えることが可能になり、支柱７による照明取付部材６の支持をより一層確実に安定させることができる。
【００４６】
また、一対の側板部５が、それぞれの下端から前記連結部分５ａに向かうに従い互いに離間しているので、両側板部５の下端間を狭め、主板部４の下面に取り付けられる照明器具３からの光が照明取付部材６から側方に漏れるのを抑制しつつ、該照明器具３の設置スペースを確保することができる。
さらに、一対の側板部５が、それぞれの前記連結部分５ａから上下両端に向かうに従い互いに近接するように湾曲形成されているので、照明装置１の体裁を良好に収めることができる。
【００４７】
また、主板部４に連通路２２が形成されているので、主板部４の上下間で給電用配線４２および受電用配線４５を引き回すことができる。
また、補強板２１が配設されているので、支柱７との固定部分２０ａにおける主板部４の剛性を高めて主板部４と支柱７との固定を強固なものとしつつ、板本体２０の板厚を全長にわたって薄くして主板部４の軽量化を図ることができる。
【００４８】
次に、前記照明装置１において、板本体２０の下面に照明器具３を取り付けないで使用する場合について説明する。
図９に示すように、板本体２０の上面にのみ照明器具３が取り付けられた照明装置１においては、板本体２０の下面側に、板本体２０の上面側に位置するＬ字ブラケット３４の他面部３４ｂとの間に板本体２０の側端部２０ｃを挟みこむようにナット５０が配設されている。そして、第３ねじ３５の軸部がナット５０に螺着されることで、第３ねじ３５の頭部とナット５０との間に、Ｌ字ブラケット３４の他面部３４ｂおよび板本体２０の側端部２０ｃが上下方向Ｚに挟持され、主板部４の上面に照明器具３が取り付けられている。なおこの際、前記窓カバー３６は取り外されている。
【００４９】
そして照明装置１は、照明取付部材６に着脱可能に装着され前記下側空間１７を覆うカバー体５１を備えている。カバー体５１は、両側板部５の下端間の開口を閉塞する略板状の閉塞板部５２と、閉塞板部５２の両側端縁から立設されるとともに下補助片３２間に嵌合された一対の嵌合片部５３とを備えている。
【００５０】
閉塞板部５２は、両嵌合片部５３間で湾曲形成されており、照明取付部材６に装着された状態での曲率中心が、側板部５の曲率中心と共通となっている。そして閉塞板部５２の外面は、該閉側板部５２が照明取付部材６に装着された状態で、一対の側板部５の下端に滑らかに接続されている。また、閉塞板部５２は、両側板部５の下端間の開口を、連結キャップ４０もしくはエンドキャップ４１と支柱７との間の全長にわたって閉塞している。
【００５１】
この場合、カバー体５１を備えているので、側板部５の下面に照明器具３を取り付けない状態で当該照明装置１を使用する場合であっても、照明取付部材６にカバー体５１を装着することで、前記下側空間１７がカバー体５１で覆われ外部に露出されることがなく、照明装置１の体裁を良好に収めることができる。
【００５２】
以上、本発明の実施形態について説明したが、本発明の技術的範囲は前記実施形態に限定されるものではなく、本発明の趣旨を逸脱しない範囲において種々の変更を加えることが可能である。
例えば、前記実施形態では、照明装置１は、窓カバー３６およびカバー体５１を備えているものとしたが、これらはなくても良い。
【００５３】
また、図１０および図１１に示すように、照明器具３が、一対の側板部５間に２つ並列されていても良い。
図１０に示すように、２つの照明器具３は、両照明器具３を間に挟むように配設されたコ字ブラケット６０に固定されている。図１１に示すように、コ字ブラケット６０は、上面に両照明器具３が配置された主面部６１と、主面部６１の両側端縁から上方に向けて延在して両照明器具３を幅方向Ｙに挟み込み、各照明器具３の外側面にそれぞれ固定された一対の側面部６２とを備えている。
そして、コ字ブラケット６０の主面部６１に形成された挿通孔６１ａと、板本体２０の下面側の照明器具３に取り付けられたＬ字ブラケット３４の他面部３４ｂの挿通孔３４ｃとに第３ねじ３５の軸部が挿通され、この軸部が板本体２０の下面側に配設されたナット５０に螺着されている。これにより、コ字ブラケット６０の主面部６１、板本体２０の側端部２０ｃおよびＬ字ブラケット３４の他面部３４ｂが、第３ねじ３５の頭部とナット５０との間に上下方向Ｚに挟持され、主板部４の上下両面に照明器具３が取り付けられることとなる。
【００５４】
また、前記実施形態では、一対の側板部５が、それぞれの下端から主板部４との連結部分５ａに向かうに従い互いに離間しているものとしたが、本発明の参考例では、これに限られるものではない。例えば、一対の側板部５が、それぞれ上下方向全体にわたって支柱７の上端部の側面に当接していても良い。
また、一対の側板部５が、それぞれの下端から主板部４との連結部分５ａに向かうに従い互いに離間している場合であっても、一対の側板部５が、主板部４との連結部分５ａから上下両端に向かうに従い互いに近接するように湾曲形成されていなくても良い。例えば、主板部４との連結部分５ａよりも下側の部分のみが前述のように湾曲形成されていても良いし、また、前記下側の部分が屈曲されていても良い。
【００５５】
また、前記実施形態では、照明取付部材６が下補助片３２および上補助片２３を備えているものとしたが、上補助片２３はなくても良く、さらに本発明の参考例では、下補助片３２がなくても良い。
また、上補助片２３を備えている場合であっても、上補助片２３が支柱７の上端部の側面に側板部５側から当接していなくても良く。例えば、上補助片２３が支柱７の上端部の側面に長手方向Ｘ側から当接していても良い。
【００５６】
また、前記実施形態では、主板部４は、板本体２０と補強板２１とを備えているものとしたが、補強板２１はなくても良い。さらに、補強板２１を備える場合であっても、板本体２０の上面ではなく、下面に配置されていても良いし、両面に配置されていても良い。
【００５７】
また、前記実施形態では、主板部４に、上下に連通する連通路２２が形成されているものとしたが、連通路２２はなくても良い。また、支柱７に配線空間１１が形成されていなくても良い。
さらに、前記実施形態では、一本の支柱７に照明取付部材６が支持されるものとしたが、これに限られるものではなく、複数本の支柱７により支持されていても良い。
【００５８】
また、前記実施形態では、照明装置１は、テーブル２の天板２ａ上を照らすものとしたが、この照明装置１を他の什器に設け、その什器上を照らすことも可能である。
【００５９】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６０】
１  照明装置
２  テーブル（什器）
３  照明器具
４  主板部
５  側板部
５ａ  連結部分
６  照明取付部材
７  支柱
２０  板本体
２０ａ  固定部分
２１  補強板
２２  連通路
２３  上補助片
５１  カバー体
Ｚ  上下方向
【図１】
0005512206.tif 000002
【図２】
0005512206.tif 000003
【図３】
0005512206.tif 000004
【図４】
0005512206.tif 000005
【図５】
0005512206.tif 000006
【図６】
0005512206.tif 000007
【図７】
0005512206.tif 000008
【図８】
0005512206.tif 000009
【図９】
0005512206.tif 000010
【図１０】
0005512206.tif 000011
【図１１】
0005512206.tif 000012